(57)【要約】【課題】  カメラ内のメニューで使用する文字の大きさをユーザーが選択できるようにすることで、使い勝手の良いメニューを提供する。【解決手段】  カメラのモニタに表示する文字の大きさを選択でき、文字の大きさはメニューから選択し、文字の大きさに合わせた、デザインを複数持ち、文字を大きくしたことで液晶画面に入りきらなくなった内容はアイコン等で表示し、文字の大きさは異なっても、メニュー等の画面遷移は同じにして、文字を大きくしたことで欠落する情報に関して、文字の大きさ度合いに応じて、何の情報を表示するかを、予め決めておき、文字を大きくしたことで欠落する情報をどれにするかをユーザーが選択できるようにする。【選択図】  図１
2007043555.tif 000002
【特許請求の範囲】
【請求項１】
カメラ内部で使用する設定値をモニターから設定できる手段とその内容を文字で表示する手段を具備する画像処理装置において、
前記文字で表示する手段に提供する、複数の大きさの文字を所有し、前記複数の大きさの文字を選択する手段を夫々備えたことを特徴とする画像処理装置。
【請求項２】
請求項１に述べられている画像処理装置であって、特に、複数の大きさの文字に合わせて、前記文字で表示する手段の表示内容を複数所有し、切り替えることを特徴とする画像処理装置。
【請求項３】
請求項１、２に述べられている画像処理装置であって、特に、複数の大きさの文字に合わせて、前記文字で表示する手段と記号で表示する手段とを備えたことを特徴とする画像処理装置。
【請求項４】
請求項１、２、３に述べられている画像処理装置であって、複数の大きさの文字においても、表示フローを同一にしたことを特徴とする画像処理装置。
【請求項５】
カメラ内部で使用する設定値をモニターから設定できる手段とその内容を文字で表示する手段を具備する画像処理装置において、
拡大手段を備え、複数の大きさの文字を所有し、拡大手段が選択されているときに、大きい文字で表示することを特徴とする画像処理装置。
【請求項６】
請求項５に述べられている画像処理装置であって、特に、拡大手段が選択されてから所定時間だけ、大きい文字で表示することを特徴とする画像処理装置。
【請求項７】
請求項１、２、３に述べられている画像処理装置であって、選択された文字の大きさに合わせて、前記モニターに表示する項目を予め設定しておくことを特徴とする画像処理装置。
【請求項８】
請求項１、２、３に述べられている画像処理装置であって、大きい文字を選択した時に、前記モニターに表示する項目を、予め選択できる手段を設けたことを特徴とする画像処理装置。
【発明の詳細な説明】
【技術分野】
【０００１】
本発明は、静止画像や動画像を記録・再生するカメラなどの画像処理装置等に関する。
【背景技術】
【０００２】
従来、ＣＣＤやCMOS等の撮像素子で撮像した画像を記録及び再生するカメラなどの画像処理装置は既に知られている。
【０００３】
この種の画像処理装置には、撮像する際に必要な設定値、例えば、撮影画像の大きさ、形式、JPEG形式の場合の絵作り内容、ホワイトバランスモードや、再生する際に必要な設定値、例えば、画像のプロテクト指定、画像の印刷指定や、カメラのセットアップに必要な設定値、例えば、日付時刻、言語指定等の様々な設定をする必要があり、それらを設定するために、液晶モニター等にメニューを表示して、様々な設定をおこなうようになっている。
【０００４】
そして、最近では、カメラなどの画像処理装置には多種多様な機能が負荷されているために、それらを設定するために、それらの多種多様な機能の説明を、カメラに付いている液晶モニターの、限られた領域内で、限られた操作部材で行わなくてはならない。
【０００５】
限られた領域内に、多種多様な機能の説明を行おうとすると、表示する文字が小さくなり、文字を大きくすると、機能説明があいまいになるという問題があり、カメラの使用者が様々な設定を行う際に不便であった。
【０００６】
又、従来例としては、例えば特許文献１と特許文献２をあげることが出来る。
【特許文献１】特開２００４−１０２５５３号公報
【特許文献２】特開平１１−３９１２４号公報
【発明の開示】
【発明が解決しようとする課題】
【０００７】
そこで、カメラの使用者が液晶モニターに表示する文字の大きさを選択できるようにすることによって、使用者に設定のしやすい便利な画像処理装置等を提供できる。
【０００８】
また、メニューの表示時に、カメラの使用者が拡大を設定すると、メニューのフォーカス（選択）された文字が拡大表示されるようにすることによって、使用者に設定のしやすい便利な画像処理装置等を提供できる。
【課題を解決するための手段】
【０００９】
上記目的を達成するために、本発明の画像処理装置では、カメラ内部で使用する設定値をモニターから設定できる手段とその内容を文字で表示する手段を具備する画像処理装置において、前記文字で表示する手段に提供する、複数の大きさの文字を所有し、前記複数の大きさの文字を選択する手段を夫々備えたことを特徴とする画像処理装置。
【００１０】
本発明の画像処理装置では、カメラ内部で使用する設定値をモニターから設定できる手段とその内容を文字で表示する手段を具備する画像処理装置において、特に、複数の大きさの文字に合わせて、前記文字で表示する手段の表示内容を複数所有し、切り替えることを特徴とする画像処理装置。
【００１１】
本発明の画像処理装置では、カメラ内部で使用する設定値をモニターから設定できる手段とその内容を文字で表示する手段を具備する画像処理装置において、特に、複数の大きさの文字に合わせて、前記文字で表示する手段と記号で表示する手段とを備えたことを特徴とする画像処理装置。
【００１２】
本発明の画像処理装置では、カメラ内部で使用する設定値をモニターから設定できる手段とその内容を文字で表示する手段を具備する画像処理装置において、複数の大きさの文字においても、表示フローを同一にしたことを特徴とする画像処理装置。
【００１３】
本発明の画像処理装置では、カメラ内部で使用する設定値をモニターから設定できる手段とその内容を文字で表示する手段を具備する画像処理装置において、拡大手段備え、複数の大きさの文字を所有し、拡大手段が選択されているときに、大きい文字で表示することを特徴とする画像処理装置。
【００１４】
本発明の画像処理装置では、カメラ内部で使用する設定値をモニターから設定できる手段とその内容を文字で表示する手段を具備する画像処理装置において、特に、拡大手段が選択されてから所定時間だけ、大きい文字で表示することを特徴とする画像処理装置。
【００１５】
本発明の画像処理装置では、カメラ内部で使用する設定値をモニターから設定できる手段とその内容を文字で表示する手段を具備する画像処理装置において、複数の大きさの文字を所有し、前記複数の大きさの文字を選択する手段を夫々備えて、特に、選択された文字の大きさに合わせて、前記モニターに表示する項目を予め設定しておくことを特徴とする画像処理装置。
【００１６】
本発明の画像処理装置では、カメラ内部で使用する設定値をモニターから設定できる手段とその内容を文字で表示する手段を具備する画像処理装置において、複数の大きさの文字を所有し、前記複数の大きさの文字を選択する手段を夫々備えて、特に、大きい文字を選択した時に、前記モニターに表示する項目を、予め選択できる手段を設けたことを特徴とする画像処理装置。
【発明の効果】
【００１７】
以上詳細に説明したように本発明によれば、カメラ使用者が、カメラの設定値を設定するためのメニューをモニターに表示するときに、メニュー項目等を表示する文字の大きさを選択できるようにすることで、使用者にとって、操作性の良い、便利な撮影装置を提供できる。
【００１８】
さらに、文字が大きくなったことにより、表示画面に入らなくなった機能の内容は、アイコン等の記号で表示することで、文字の大きなメニューを選択でき、内容の読みやすいメニューを、カメラの使用者に提供できる。
【００１９】
また、文字が小さいときと大きいときで、同じ操作部材で、同じように設定できるようにすることで、メニューの状態遷移のフローは、文字の大きさに応じないで、同じになり、メニュー遷移の制御が複雑になることを防止できるので、使用者に、文字を選択できる機能がありながら、シンプルな制御方法がとれ、信頼性のたかいカメラを提供できる。
【００２０】
また、拡大スイッチをONにすることにより、フォーカスされているメニュー項目や内容の文字が拡大されることで、カメラ使用者が設定したいメニューの項目や内容を、設定したいときに拡大することができるので、使用者にとって、設定操作のしやすい、より便利な撮影装置を提供できる。
【００２１】
また、拡大スイッチをONにした後所定時間、フォーカスされているメニュー項目や内容の文字が拡大されることで、カメラ使用者が設定したいメニューの項目や内容を、設定したいときに簡単な操作で拡大することができるので、使用者にとって、設定操作のしやすい、より便利な撮影装置を提供できる。
【００２２】
また、表示する文字のサイズを選択して、表示する情報項目を変更する時に、カメラの情報をカメラ使用者が設定した文字の大きさで表示することにより、使用者にとって、分かりやすい、より便利な撮影装置を提供できる。
【００２３】
また、表示する文字のサイズを選択して、表示する情報項目を変更する時に、表示する情報項目を、カメラ使用者選択できるようにすることによって、使用者にとって、分かりやすい、より便利な撮影装置を提供できる。
【発明を実施するための最良の形態】
【００２４】
以下、本発明の実施の形態を図面に基づいて説明する。
【実施例１】
【００２５】
＜全体構成＞
図１は、本発明の第一実施形態に係る画像処理装置の全体構成を示すブロック図である。
【００２６】
同図において、１００は画像処理装置である。１２は撮像素子１４への露光量を制御するためのシャッター、１４は光学像を電気信号に変換する撮像素子である。
【００２７】
レンズ３１０に入射した光線は、一眼レフ方式によって、絞り３１２、レンズマウント３０６，１０６、ミラー１３０、及びシャッター１２を介して導き、光学像として撮像素子１４上に結像する。
【００２８】
１６は、撮像素子１４のアナログ信号出力をディジタル信号に変換するＡ／Ｄ変換器である。１８は撮像素子１４、Ａ／Ｄ変換器１６、及びＤ／Ａ変換器２６にクロック信号や制御信号を供給するタイミング発生回路であり、メモリ制御回路２２及びシステム制御回路５０により制御される。
【００２９】
２０は画像処理回路であり、Ａ／Ｄ変換器１６からのデータ或いはメモリ制御回路２２からのデータに対して所定の画素補間処理や色変換処理を行う。
【００３０】
また、画像処理回路２０においては、必要に応じて、撮像した画像データを用いて所定の演算処理を行い、得られた演算結果に基づいてシステム制御回路５０が露光制御手段４０、及び測距制御手段４２に対して制御を行う。この制御としては、ＴＴＬ（スルー・ザ・レンズ）方式のＡＦ（オートフォーカス）処理、ＡＥ（自動露出）処理、及びＥＦ（フラッシュ調光）処理がある。さらに、画像処理回路２０においては、撮像した画像データを用いて所定の演算処理を行い、得られた演算結果に基づいてＴＴＬ方式のＡＷＢ（オートホワイトバランス）処理も行っている。
【００３１】
なお、本実施形態においては、測距手段４２及び測光手段４６を専用に備える構成としたため、測距手段４２及び測光手段４６を用いてＡＦ（オートフォーカス）処理、ＡＥ（自動露出）処理、及びＥＦ（フラッシュ調光）処理の各処理を行い、上記画像処理回路２０を用いたＡＦ（オートフォーカス）処理、ＡＥ（自動露出）処理、及びＥＦ（フラッシュ調光）処理の各処理を行わない構成としても良い。或いは、測距手段４２及び測光手段４６を用いてＡＦ（オートフォーカス）処理、ＡＥ（自動露出）処理、及びＥＦ（フラッシュ調光）処理の各処理を行い、さらに、上記画像処理回路２０を用いたＡＦ（オートフォーカス）処理、ＡＥ（自動露出）処理、及びＥＦ（フラッシュ調光）処理の各処理を行う構成としても良い。
【００３２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。
【００３３】
Ａ／Ｄ変換器１６のデータが画像処理回路２０及びメモリ制御回路２２を介して、或いはＡ／Ｄ変換器１６のデータが直接メモリ制御回路２２を介して、画像表示メモリ２４或いはメモリ３０に書き込まれる。
【００３４】
２４は画像表示メモリ、２６はＤ／Ａ変換器、２８はＴＦＴ・ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダ機能を実現することが可能である。
【００３５】
また、画像表示部２８は、システム制御回路５０の指示により任意に表示をＯＮ／ＯＦＦすることが可能であり、表示をＯＦＦにした場合には画像処理装置１００の電力消費を大幅に低減することができる。画像表示部２８には、操作部７０の操作によって、記録画質モードや、ホワイトバランスモード等のメニューを表示したり、表示している画像の情報を表示したり、記録或いは再生可能な記憶媒体を表示したりする。
【００３６】
３０は撮影した静止画像や動画像を格納するためのメモリであり、所定枚数の静止画像や所定時間の動画像を格納するのに十分な記憶量を備えている。
【００３７】
これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。
【００３８】
３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００３９】
４０は測光手段４６からの測光情報に基づいて、絞り３１２を制御する絞り制御手段３４０と連携しながら、シャッター１２を制御するシャッター制御手段である。４２はＡＦ（オートフォーカス）処理を行うための測距手段であり、レンズ３１０に入射した光線を、一眼レフ方式によって、絞り３１２、レンズマウント３０６及び１０６、ミラー１３０そして不図示の測距用サブミラーを介して、測距手段４２に入射させることにより、光学像として結像された画像の合焦状態を測定することができる。
【００４０】
４６はＡＥ（自動露出）処理を行うための測光手段であり、レンズ３１０に入射した光線を、一眼レフ方式によって、絞り３１２、レンズマウント３０６及び１０６、ミラー１３０及び１３２そして不図示の測光用レンズを介して、測光手段４６に入射させることにより、光学像として結像された画像の露出状態を測定する。
【００４１】
なお、撮像素子１４によって撮像した画像データを画像処理回路２０によって演算した演算結果に基づき、システム制御回路５０がシャッター制御手段４０、絞り制御手段３４０、及び測距制御手段３４２に対して制御を行う、ビデオＴＴＬ方式を用いて露出制御及びＡＦ（オートフォーカス）制御をすることも可能である。
【００４２】
さらに、測距手段４２による測定結果と、撮像素子１４によって撮像した画像データを画像処理回路２０によって演算した演算結果とを共に用いてＡＦ（オートフォーカス）制御を行っても構わない。
【００４３】
そして、測光手段４６による測定結果と、撮像素子１４によって撮像した画像データを画像処理回路２０によって演算した演算結果とを共に用いて露出制御を行っても構わない。
【００４４】
５０は画像処理装置１００全体を制御するシステム制御回路、５２はシステム制御回路５０の動作用の定数や、変数、プログラム等を記憶するメモリである。５４はシステム制御回路５０でのプログラムの実行に応じて、文字、画像等を用いて動作状態やメッセージ等を表示する液晶表示装置等の表示部であり、画像処理装置１００の操作部近辺の視認し易い位置に単数或いは複数個所設置され、例えばＬＣＤやＬＥＤ等の組み合わせにより構成されている。
【００４５】
また、表示部５４は、その一部の機能が光学ファインダ１０４内に設置されている。表示部５４の表示内容のうち、ＬＣＤ等に表示するものとしては、例えば、シングルショット／連写撮影表示、セルフタイマー表示、圧縮率表示、記録画素数表示、記録枚数表示、残撮影可能枚数表示、シャッタースピード表示、絞り値表示、露出補正表示、フラッシュ表示、赤目緩和表示、マクロ撮影表示、時計用電池残量表示、電池残量表示、エラー表示、複数桁の数字による情報表示、記憶媒体２００及び２１０の着脱状態表示、レンズユニット３００の着脱状態表示、通信Ｉ／Ｆ動作表示、日付・時刻表示、及び外部コンピュータとの接続状態を示す表示等がある。
【００４６】
また、表示部５４の表示内容のうち、光学ファインダ１０４内に表示するものとしては、例えば、合焦表示、撮影準備完了表示、手振れ警告表示、フラッシュ充電表示、フラッシュ充電完了表示、シャッタースピード表示、絞り値表示、露出補正表示、及び記憶媒体書き込み動作表示等がある。
【００４７】
さらに、表示部５４の表示内容のうち、ＬＥＤ等に表示するものとしては、例えば、合焦表示、撮影準備完了表示、手振れ警告表示、手振れ警告表示、フラッシュ充電表示、フラッシュ充電完了表示、記憶媒体書き込み動作表示、マクロ撮影設定通知表示、及び二次電池充電状態表示等がある。
【００４８】
そして、表示部５４の表示内容のうち、ランプ等に表示するものとしては、例えば、セルフタイマー通知ランプ、等がある。このセルフタイマー通知ランプは、ＡＦ補助光と共用して用いても良い。
【００４９】
６２、６４、６６、６８及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００５０】
ここで、これらの操作手段の具体的な説明を行う。
【００５１】
６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、及びＥＦ（フラッシュ調光）処理等の動作開始を指示する。
【００５２】
６４はシャッタースイッチＳＷ２で、不図示のシャッターボタンの操作完了でＯＮとなり、撮像素子１２から読み出した信号をＡ／Ｄ変換器１６、及びメモリ制御回路２２を介してメモリ３０に画像データを書き込む露光処理、画像処理回路２０やメモリ制御回路２２での演算を用いた現像処理、並びにメモリ３０から画像データを読み出し、圧縮・伸長回路３２で圧縮を行い、記憶媒体２００或いは２１０に画像データを書き込む記録処理、という一連の処理の動作開始を指示する。
【００５３】
６６は再生スイッチで、撮影モード状態において、撮影した画像をメモリ３０、記憶媒体２００或いは２１０から読み出して画像表示部２８によって表示する再生動作の開始を指示する。
【００５４】
６８は単写／連写スイッチで、シャッタースイッチＳＷ２を押した場合に１駒の撮影を行って待機状態とする単写モードと、シャッタースイッチＳＷ２を押している間は連続して撮影を行い続ける連写モードとを設定するためのスイッチである。
【００５５】
７０は各種ボタンやタッチパネル等からなる操作部で、文字の大きさを選択する釦、メニューボタン、セットボタン、メニュー移動＋（プラス）ボタン、メニュー移動−（マイナス）ボタン、再生画像移動＋（プラス）ボタン、再生画像移動−（マイナス）ボタン等を備えている。
【００５６】
さらに、画像表示部２８のＯＮ／ＯＦＦを設定する画像表示ＯＮ／ＯＦＦスイッチ、撮影直後に撮影した画像データを自動再生するクイックレビュー機能を設定するクイックレビューＯＮ／ＯＦＦスイッチを備えている。
【００５７】
そのほかに、再生モードや、マルチ画面再生モード、ＰＣ接続モード等の各機能モードを設定することができる再生スイッチ、シャッタースイッチＳＷ１を押したならばオートフォーカス動作を開始し一旦合焦したならばその合焦状態を保ち続けるワンショットＡＦモードとシャッタースイッチＳＷ１を押している間は連続してオートフォーカス動作を続けるサーボＡＦモードとを設定することができるＡＦモード設定スイッチ等がある。
【００５８】
また、上記プラスボタン及びマイナスボタンの各機能は、回転ダイアルスイッチや十字スイッチや8方向スイッチを備えることによって、より軽快に数値や機能を選択することが可能となる。
【００５９】
７２は電源スイッチで、画像処理装置１００の電源オンや、電源オフの各モードを切り替え設定することができる。また、画像処理装置１００に接続されたレンズユニット３００、外部ストロボ、記憶媒体２００、２１０等の各種付属装置の電源オン、電源オフの設定も合わせて切り替え設定することができる。
【００６０】
８０は電源制御手段で、電池検出回路、ＤＣ−ＤＣコンバータ、及び通電するブロックを切り替えるスイッチ回路等により構成されており、電池の装着の有無や、電池の種類、電池残量の検出を行い、検出結果及びシステム制御回路５０の指示に基づいてＤＣ−ＤＣコンバータを制御し、必要な電圧を必要な期間、記憶媒体を含む各部へ供給する。
【００６１】
８２，８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００６２】
９０及び９４はメモリカードやハードディスク等の記憶媒体とのインターフェース、９２及び９６はメモリカードやハードディスク等の記憶媒体と接続を行うコネクタ、９８はコネクタ９２及び或いは９６に記憶媒体２００或いは２１０が装着されているか否かを検知する記憶媒体着脱検知手段である。
【００６３】
なお、本実施形態では、記憶媒体を取り付けるインターフェース及びコネクタを２系統持つものとして説明している。勿論、記憶媒体を取り付けるインターフェース及びコネクタは、複数の系統数を備える構成としても構わない。また、異なる規格のインターフェース及びコネクタを組み合わせて備える構成としても構わない。インターフェース及びコネクタとしては、ＰＣＭＣＩＡカード等のメモリカード規格に準拠したものを用いて構成して構わない。
【００６４】
さらに、インターフェース９０及び９４、そしてコネクタ９２及び９６をＰＣＭＣＩＡカード等のメモリカード規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことができる。
【００６５】
１０４は光学ファインダであり、レンズ３１０に入射した光線を、一眼レフ方式によって、絞り３１２、レンズマウント３０６，１０６、及びミラー１３０，１３２を介して導き、光学像として結像表示する。これにより、画像表示部２８による電子ファインダ機能を使用すること無しに、光学ファインダ１０４のみを用いて撮影を行うことが可能である。また、光学ファインダ１０４内には、表示部５４の一部の機能、例えば、合焦表示、手振れ警告表示、フラッシュ充電表示、シャッタースピード表示、絞り値表示、及び露出補正表示などが設置されている。
【００６６】
１２０は、レンズマウント１０６内において、画像処理装置１００をレンズユニット３００と接続するためのインターフェース、１２２は画像処理装置１００をレンズユニット３００と電気的に接続するコネクタ、１２４はレンズマウント１０６及び／或いはコネクタ１２２にレンズユニット３００が装着されているか否かを検知するレンズ着脱検知手段である。
【００６７】
コネクタ１２２は、画像処理装置１００とレンズユニット３００との間で制御信号、状態信号、データ信号等を伝え合うと共に、各種電圧の電流を供給する機能も備えている。また、コネクタ１２２は電気通信のみならず、光通信や音声通信等を伝達する構成としても良い。
【００６８】
１３０、１３２はミラーで、レンズ３１０に入射した光線を、一眼レフ方式によって光学ファインダ１０４に導くことができる。なお、ミラー１３２は、クイックリターンミラーの構成としても、ハーフミラーの構成としても、どちらでも構わない。
【００６９】
２００はメモリカードやハードディスク等の記憶媒体である。記憶媒体２００は、半導体メモリや磁気ディスク等から構成される記録部２０２、画像処理装置１００とのインターフェース２０４、及び画像処理装置１００と接続を行うコネクタ２０６を備えている。
【００７０】
２１０はメモリカードやハードディスク等の記憶媒体である。記憶媒体２１０は、半導体メモリや磁気ディスク等から構成される記録部２１２、画像処理装置１００とのインターフェース２１４、及び画像処理装置１００と接続を行うコネクタ２１６を備えている。
【００７１】
３００は交換レンズタイプのレンズユニットである。３０６は、レンズユニット３００を画像処理装置１００と機械的に結合するレンズマウントである。レンズマウント３０６内には、レンズユニット３００を画像処理装置１００と電気的に接続する各種機能が含まれている。
【００７２】
３１０は撮影レンズ、３１２は絞りである。３２０は、レンズマウント３０６内において、レンズユニット３００を画像処理装置１００と接続するためのインターフェース、３２２はレンズユニット３００を画像処理装置１００と電気的に接続するコネクタである。
【００７３】
コネクタ３２２は、画像処理装置１００とレンズユニット３００との間で制御信号、状態信号、データ信号等を伝え合うと共に、各種電圧の電流を供給される或いは供給する機能も備えている。また、コネクタ３２２は電気通信のみならず、光通信、音声通信等を伝達する構成としても良い。
【００７４】
３４０は測光手段４６からの測光情報に基づいて、シャッター１２を制御するシャッター制御手段４０と連携しながら、絞り３１２を制御する絞り制御手段である。
【００７５】
３４２は撮影レンズ３１０のフォーカシングを制御する測距制御手段、３４４は撮影レンズ３１０のズーミングを制御するズーム制御手段である。
【００７６】
３５０はレンズユニット３００全体を制御するレンズシステム制御回路である。レンズシステム制御回路３５０は、動作用の定数、変数、プログラム等を記憶するメモリと、レンズユニット３００固有の番号等の識別情報、管理情報、開放絞り値や最小絞り値、焦点距離等の機能情報、及び現在や過去の各設定値などを保持する不揮発メモリの機能も備えている。
【００７７】
次に、図２は、本発明の特徴である、画像処理装置内で、機能設定のためのメニューに表示する文字を選択するフローチャートである。
【００７８】
ステップ１０１で操作部７０内に存在する、文字の大きさ選択ボタンがONかどうか判断する。もし、文字の大きさ体選択ボタンがONでなければ、ステップ１０８で他の操作部材に関する制御を行う。
【００７９】
文字の大きさ選択ボタンがONならば、ステップ１０２で画像表示部２８、或いは表示部５４に文字の大きさを選択する画面を表示する。（図３）
ステップ１０３でメニュー移動＋（プラス）ボタンがONかどうか判断する。もしONだったら、ステップ１０５でプラス方向に文字の大きさの表示を変更する。（図３(a)）
ステップ１０４でメニュー移動−（マイナス）ボタンがONかどうか判断する。もしONだったら、ステップ１０５でマイナス方向に文字の大きさの表示を変更する（図３(a)）。ステップ１０４でOFFだったら、ステップ１０６に移行する。
【００８０】
ステップ１０６では、セットボタンがONかどうか判断する。セットボタンがOFFだったらステップ１０３に戻り、メニュー移動ボタンとセットボタンの判断を繰り返す。ステップ１０６でONならば、ステップ１０７でそのとき選択されている文字の大きさを、メニューを表示するための文字の大きさとして設定し、メモリ５２上に保持する。そして、選択された文字の大きさ用の文字や画面デザインをメモリ52上から読み込み、選択された文字に合わせたメニュー内容を、５４の表示媒体に表示する（図3）。
【００８１】
このとき、メモリ５２上には、選択できる文字の大きさに合わせたメニューの配置位置や、文字そのものが格納されており、選択された文字の大きさに合わせて、メニューの画面を作り直すことになる。
【００８２】
ここでは、選択できる文字の大きさを、大小の2種類として説明したが、複数種類存在しても、無論かまわない。
【００８３】
このようにして、カメラの使用者が、複数の文字の大きさから、どの文字でメニュー画面を表示するかを、任意に選択できるようにすることによって、使用者にとって、操作性の良い、便利な撮影装置を提供できる。
【実施例２】
【００８４】
実施例１では、文字の大きさが大きくなって、表示できる画面領域に、表示内容が全て表示できないときの方法を述べなかったが、文字が大きくなって表示内容が全て表示できないときには、図３(b)に示すように、機能の内容等を文字で説明するのではなくてアイコン等の記号で説明するようにする。そのためのアイコン等も、メモリ５２上に記憶しておく。
【００８５】
このように、文字が大きくなったことにより、表示画面に入らなくなった機能の内容は、アイコン等の記号で表示することで、文字の大きなメニューを選択でき、内容の読みやすいメニューを、カメラの使用者に提供できる。
【実施例３】
【００８６】
実施例２では、文字の大きさが大きくなって、表示できる画面領域に、全ての機能の項目数が表示できないときの方法を述べなかったが、文字が大きくなって全ての機能の項目数が表示できないときには、図３(ｃ)に示すように、1画面に表示できる機能項目数は減るが、メニュー移動＋（プラス）と−（マイナス）ボタンで機能項目をスクロールし、文字が小さいときと同じ操作部材で、同じように設定できるようにすることで、メニューの状態遷移のフローは、文字の大きさに応じないで、同じになり、メニュー遷移の制御が複雑になることを防止できる。
【００８７】
このことにより、使用者に、文字を選択できる機能がありながら、シンプルな制御方法がとれるので、信頼性のたかいカメラを提供できる。
【実施例４】
【００８８】
第四実施形態では、メニューの表示時に拡大釦をONすると、メニューで表示されている中のフォーカスされている文字が拡大表示される場合について説明する。
【００８９】
図1の中で７１の拡大スイッチは撮影した画像を再生する際に、拡大するときにも使用できるが、ここでは、メニューの文字を拡大表示するために使用する。
【００９０】
図４は、第四実施形態の特徴を示すフローチャートである。
【００９１】
ステップ２０１で操作部７０内に存在する、メニュー選択ボタンがONかどうか判断する。もし、メニュー選択ボタンがONでなければ、ステップ２２１で他の操作部材に関する制御を行う。
【００９２】
メニュー選択ボタンがONならば、ステップ２０２で画像表示部２８、或いは表示部５４にカメラに設定できるメニュー項目を表示する。（図５(a)）
そしてステップ２０３でメニュー移動＋（プラス）ボタンがONかどうか判断する。もしONだったら、ステップ２０４でメニュー項目のフォーカス位置をプラス側に移してステップ２０７に進む。ステップ２０５では、メニュー移動−（マイナス）ボタンがONかどうか判断する。もしONだったら、ステップ２０６でメニュー項目のフォーカス位置をマイナス側に移してステップ２０７に進む。ステップ２０６でONでなければメニュー移動は無いのでメニュー項目のフォーカス位置は変更しないでステップ２０７に進む。
【００９３】
ステップ２０７では７１拡大スイッチがONかどうか判定する。ONだったら、ステップ２０８で、フォーカスされているメニュー項目の文字を拡大して表示する。(図5(b))
このとき拡大して表示する内容は、予め、５２のメモリーに記憶しておく。拡大して、表示画面上に入らなくなってしまうメニュー項目に関しては、説明表現を変更するか、記号等のアイコンにする必要がある。
【００９４】
ステップ２０９で、７１拡大スイッチがOFFかどうか判定する。OFFでなかったら、２０８に戻り、フォーカスされているメニュー項目の文字の拡大を続ける。(図5(b))
ステップ２０９でOFFだったら、ステップ２１０に進む。
【００９５】
ステップ２１０で設定がONでなければ、ステップ２０３に戻り、設定するメニュー項目の選択を続ける。
【００９６】
ステップ２１０で設定がONだったら、ステップ２１１で選択されたメニュー項目の内容を表示する。（図5(c)）
そしてステップ２１２でメニュー移動＋（プラス）ボタンがONかどうか判断する。もしONだったら、ステップ２１３でメニュー項目内容のフォーカス位置をプラス側に移してステップ２１６に進む。ステップ２１４では、メニュー移動−（マイナス）ボタンがONかどうか判断する。もしONだったら、ステップ２１５でメニュー項目内容のフォーカス位置をマイナス側に移してステップ２１６に進む。ステップ２１４でONでなければメニュー移動は無いのでメニュー項目内容のフォーカス位置は変更しないでステップ２１６に進む。
【００９７】
ステップ２１６では７１拡大スイッチがONかどうか判定する。ONだったら、ステップ２１７で、フォーカスされているメニュー項目内容の文字を拡大して表示する。(図5(d))
このとき拡大して表示する内容は、予め、５２のメモリーに記憶しておく。拡大して、表示画面上に入らなくなってしまうメニュー項目に関しては、説明表現を変更するか、記号等のアイコンにする必要がある。
【００９８】
ステップ２１８で、７１拡大スイッチがOFFかどうか判定する。OFFでなかったら、２１７に戻り、フォーカスされているメニュー項目内容の文字の拡大を続ける。(図5(d))
ステップ２１８でOFFだったら、ステップ２１９に進む。
【００９９】
ステップ２１９で設定がONでなければ、ステップ２１２に戻り、設定するメニュー項目内容の選択を続ける。
【０１００】
ステップ２１９で設定がONだったら、選択されたメニュー項目内容をカメラ内の５２メモリーに記憶し、撮影操作や再生操作を行うときの設定値とする（ステップ２２０）。そしてメニュー操作の最初のステップ２０１に戻る。
【０１０１】
このようにして、カメラ使用者が設定したいメニューの項目や内容を、設定したいときに拡大することができるので、使用者にとって、設定操作のしやすい、より便利な撮影装置を提供できる。
【実施例５】
【０１０２】
実施例４では、メニュー項目の設定時に拡大スイッチが押されているときだけ、メニュー項目や項目内容の文字が拡大する方法を説明したが、拡大スイッチが押された後に、時間をカウントすることで、拡大スイッチが押されてから所定時間だけ拡大するようにすることも出来る。
【０１０３】
このように、カメラ使用者が設定したいメニューの項目や内容を、設定したいときに簡単な操作で拡大することができるので、使用者にとって、設定操作のしやすい、より便利な撮影装置を提供できる。
【実施例６】
【０１０４】
実施例１で、メニュー項目で表示する文字のサイズを選択すると、表示部に表示できる内容が、選択された文字の大きさに従って、おのずと決まってしまう。従って、第六実施形態では、メニュー項目で表示する文字のサイズを選択した時に、表示する情報項目を変更する方法について説明する。
【０１０５】
図７、第六実施形態の特徴を示すフローチャートである。
【０１０６】
ステップ７０１でメニューで文字の大きさが大きいのを選択したかどうかを判断する。もし、小さい文字を選んでいた場合は、ステップ７０２で、文字が小さい時の情報項目リストを選択する。このリストには、画像表示部２８に表示するべき項目とそれを表示する場所の情報が書かれている。例えば、表示する項目や配置に関しては、図６（ａ）に示す。
【０１０７】
７０１で大きい文字を選んでいた場合は、ステップ７０３で、文字が大きい時の情報項目リストを選択する。例えば、表示する項目や配置に関しては、図６（ｂ）に示す。
【０１０８】
そして７０４で選択された項目を選択された文字の大きさで、画像表示部２８に表示する。
【０１０９】
このように、カメラの情報をカメラ使用者が設定した文字の大きさで表示することにより、使用者にとって、分かりやすい、より便利な撮影装置を提供できる。
【実施例７】
【０１１０】
実施例６で、メニュー項目で表示する文字のサイズを選択した時に、表示する情報項目を変更する方法について説明したが、第７実施形態では、文字のサイズが大きくなった時に、表示する情報項目を使用者が選択できる方法について説明する。
【０１１１】
図８はメニュー等で、文字の大きさを大きくした時に、その時に表示する項目を選択する画面である。文字が小さい時に表示される項目の中から、文字が大きい時に表示したい項目を使用者が選択できる。例えば、図８のように、使用者が、表示項目の中から、文字が大きい時に表示したい項目を、メニュー操作部７０の部材を使用して選択し、その選択した項目を、図６（ｂ）のように表示することで、使用者にとって、分かりやすい、より便利な撮影装置を提供できる。
【０１１２】
なお、上述した図２及び図４、図７のフローチャートに従ったプログラムを例えばメモリ５２に格納し動作することにより、上述の制御方法を実現させることが可能となる。
【０１１３】
本発明は、上述した実施形態の装置に限定されず、複数の機器から構成されるシステムに適用しても、１つの機器から成る装置に適用してもよい。前述した実施形態の機能を実現するソフトウェアのプログラムコードを記憶した記憶媒体をシステム或いは装置に供給し、そのシステム或いは装置のコンピュータ（またはＣＰＵやＭＰＵ）が記憶媒体に格納されたプログラムコードを読み出し実行することによっても、完成されることは言うまでもない。
【０１１４】
この場合、記憶媒体から読み出されたプログラムコード自体が前述した実施形態の機能を実現することになり、そのプログラムコードを記憶した記憶媒体は本発明を構成することになる。プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭを用いることができる。また、コンピュータが読み出したプログラムコードを実行することにより、前述した実施形態の機能が実現されるだけではなく、そのプログラムコードの指示に基づき、コンピュータ上で稼動しているＯＳなどが実際の処理の一部または全部を行い、その処理によって前述した実施形態の機能が実現される場合も含まれることは言うまでもない。
【０１１５】
さらに、記憶媒体から読み出されたプログラムコードが、コンピュータに挿入された機能拡張ボードやコンピュータに接続された機能拡張ユニットに備わるメモリに書き込まれた後、次のプログラムコードの指示に基づき、その拡張機能を拡張ボードや拡張ユニットに備わるＣＰＵなどが処理を行って実際の処理の一部または全部を行い、その処理によって前述した実施形態の機能が実現される場合も含まれることは言うまでもない。
【図面の簡単な説明】
【０１１６】
【図１】本発明の実施例１の構成ブロック図である。
【図２】実施例１の主ルーチンのフローチャートである。
【図３】実施例１，２，３の表示部の表示内容を示す図である。
【図４】実施例４の主ルーチンのフローチャートである。
【図５】実施例４，５の表示部の表示内容を示す図である。
【図６】実施例６の表示部の表示内容を示す図である。
【図７】実施例６の主ルーチンのフローチャートである。
【図８】実施例７の表示部の表示内容を示す図である。
【符号の説明】
【０１１７】
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  シャッター制御手段
４２  測距手段
４６  測光手段
５０  システム制御回路
５２  メモリ
５４  表示部
６２  シャッタースイッチＳＷ１
６４  シャッタースイッチＳＷ２
６６  再生スイッチ
６８  単写／連写スイッチ
７０  メニュー操作部
７１  拡大スイッチ
７２  電源スイッチ
８０  電源制御手段
８２  コネクタ
８４  コネクタ
８６  電源手段
９０  インターフェース
９２  コネクタ
９４  インターフェース
９６  コネクタ
９８  記憶媒体着脱検知手段
１０４  光学ファインダ
１０６  レンズマウント
１２０  インターフェース
１２２  コネクタ
１３０  ミラー
１３２  ミラー
２００  記憶媒体
２０２  記録部
２０４  インターフェース
２０６  コネクタ
２１０  記憶媒体
２１２  記録部
２１４  インターフェース
２１６  コネクタ
３００  レンズユニット
３０６  レンズマウント
３１０  撮影レンズ
３１２  絞り
３２０  インターフェース
３２２  コネクタ
３４０  露光制御手段
３４２  測距制御手段
３４４  ズーム制御手段
３５０  レンズシステム制御回路
【図１】
2007043555.tif 000003
【図２】
2007043555.tif 000004
【図３】
2007043555.tif 000005
【図４】
2007043555.tif 000006
【図５】
2007043555.tif 000007
【図６】
2007043555.tif 000008
【図７】
2007043555.tif 000009
【図８】
2007043555.tif 000010